(57)【特許請求の範囲】
【請求項１】
板状のベース板と、前記ベース板の両端から同一方向へ延出し第１の壁パネルの上下方向に延びる第１の端部分と第２の壁パネルの上下方向に延びて前記第１の端部分と隣接する第２の端部分とを挟持する一対の挟持板と、を備えた挟持部と、
前記挟持部に設けられ、前記挟持部を前記第１の壁パネルの裏面に形成される横方向に延びるリブに固定するための固定部と、
を有する壁パネル組立用部材。
【請求項２】
前記挟持板の一方は、他方の挟持板側へ凸となるように屈曲され、且つ弾性変形する、請求項１に記載の壁パネル組立用部材。
【請求項３】
前記挟持部は、前記リブに交差して延びており、
前記挟持部の前記挟持板には、前記第１の壁パネルの前記リブを逃げる第１の切欠と前記第２の壁パネルの前記リブとを逃げる第２の切欠とが形成されている、請求項１または請求項２に記載の壁パネル組立用部材。
【請求項４】
前記挟持部は金属板で形成され、
前記第１の切欠と前記固定部とは、前記挟持板の一部を切り起すことで形成されている、請求項３に記載の壁パネル組立用部材。
【請求項５】
横方向に延びるリブ、及び横方向の一方側の側端部に沿って延びるフランジを裏面に備えた第１の壁パネルと、
前記第１の壁パネルと直角に配置される第２の壁パネルと、
前記フランジと前記第２の壁パネルの壁面の側端部分とが前記挟持部で挟持され、前記固定部が前記第１の壁パネルの前記リブに固定される請求項１〜請求項４の何れか１項に記載の壁パネル組立用部材と、
を有するコーナー部の壁パネル組立構造。
【請求項６】
前記フランジと前記第２の壁パネルの壁面の側端部分とは互いに接触している、請求項５に記載のコーナー部の壁パネル組立構造。
【請求項７】
横方向に延びるリブ、及び横方向の一方側の側端部に沿って延びるフランジを裏面に備えた第１の壁パネルと、
前記第１の壁パネルの前記フランジの設けられている側に横並びに配置され、裏面に横方向に延びるリブ、及び第１の壁パネル側の側端部に上下方向に延びるフランジを備えた第２の壁パネルと、
前記第１の壁パネルの前記フランジと前記第２の壁パネルの前記フランジとが前記挟持部で挟持され、前記固定部が前記第１の壁パネルの前記リブ及び前記第２の壁パネルの前記リブの何れか一方に固定される請求項１〜請求項４の何れか１項に記載の壁パネル組立用部材と、
を有する横並び部の壁パネル組立構造。
【請求項８】
前記第１の壁パネルの前記フランジと前記第２の壁パネルの前記フランジとは互いに接触している、請求項７に記載の横並び部の壁パネル組立構造。
【発明の詳細な説明】
【技術分野】
【０００１】
本発明は、壁パネル組立用部材、コーナー部の壁パネル組立構造、及び横並び部の壁パネル組立構造に係り、特に、ユニットバス等のユニット式ルームに用いられる壁パネルと壁パネルとを連結する際に用いる壁パネル組立用部材、２つの壁パネルが直角に連結されるコーナー部の壁パネル組立構造、及び２つの壁パネルが横並びに連結される横並び部の壁パネル組立構造に関する。
【背景技術】
【０００２】
複数枚のパネルを接合して組み立てられるユニット式ルームとしてユニットバスがあり、この種のユニットバスは、床パネル（防水パン）、壁パネル、天井パネル、ドア等から構成されている。
ユニット式ルームに用いられる壁パネルはＦＲＰ等で形成されており、平板状に形成された壁面の裏側には補強用の複数の縦リブ、及び縦リブに交差する複数の横リブが形成されていると共に、これら縦リブ及び横リブの長手方向端部と連結されるフランジが外周部（上端縁部分、下端縁部分、及び両側端縁部分）に形成されている。
【０００３】
従来のユニット式ルームでは、例えば、互いに直角に設けられる一方の壁パネルと他方の壁パネルとは、裏面の横方向端部に形成された上下方向に延びるフランジをコーナーポストに裏面側でネジ止めして壁パネルと壁パネルを組み立てていた。
フランジは、壁パネルを成形する金型で決められた位置にしか設定されていないため、壁パネルの幅を詰めるためにパネルの横方向の一辺側をカットすると、フランジが無くなって壁パネルをコーナーポストに組み付けることができなくなる。また、フランジをコーナーポストに裏面側でネジ止めする方法では、壁パネルの裏側にネジ止めの作業スペースを必要とする。
【０００４】
従来、横方向両側にフランジの有る一方の壁パネルと、幅を詰めるために横方向の一辺側をカットして横方向の一辺側のフランジが除去された他方の壁パネルとは、例えば、特許文献１に開示されている手法を用いれば、一方の壁パネルのフランジの形成されている側端部分と、他方の壁パネルのフランジの除去された側端部分とを室内側からの作業で連結することが可能となっている。
【先行技術文献】
【特許文献】
【０００５】
【特許文献１】特開２００９−１７９９８６号公報
【発明の概要】
【発明が解決しようとする課題】
【０００６】
しかしながら、上記従来技術では、連結に必要な部品点数が多く、組み立てに手間が掛かっていた。
本発明は、上記問題を解決すべく成されたもので、２つの壁パネルを簡単に連結することのできる壁パネル組立用部材、コーナー部の壁パネル組立構造、及び横並び部の壁パネル組立構造を提供することが目的である。
【課題を解決するための手段】
【０００７】
本発明は上記事実に鑑みてなされたものであって、請求項１に記載の壁パネル組立用部材は、板状のベース板と、前記ベース板の両端から同一方向へ延出し第１の壁パネルの上下方向に延びる第１の端部分と第２の壁パネルの上下方向に延びて前記第１の端部分と隣接する第２の端部分とを挟持する一対の挟持板と、を備えた挟持部と、前記挟持部に設けられ、前記挟持部を前記第１の壁パネルの裏面に形成される横方向に延びるリブに固定するための固定部と、を有する。
【０００８】
次に、請求項１に記載の壁パネル組立用部材の作用を説明する。
請求項１に記載の壁パネル組立用部材では、固定部を第１の壁パネルの裏面に形成される横方向に延びるリブに固定することができる。
【０００９】
挟持部は、第１の壁パネルの上下方向に延びる第１の端部分と第２の壁パネルの上下方向に延びる第２の端部分とを一対の挟持板で挟持することができる。
【００１０】
以下に、第１の壁パネルの第１の側端部分と、第２の壁パネルの第２の側端部分とを、請求項１に記載の壁パネル組立用部材を用いて連結する手順の一例を説明する。
先ず、第１の壁パネルの横方向の第１の側端部分を一対の挟持板の間に挿入し、この状態で、一方の壁パネルの横方向に延びるリブに壁パネル組立用部材の固定部を固定して壁パネル組立用部材を一方の壁パネルに取り付ける。
【００１１】
次に、第２の壁パネルの第２の側端部を、第１の壁パネルの第１の側端部と平行にして挟持板の間に挿入し、第１の壁パネルの第１の側端部と第２の壁パネルの第２の側端部とを挟持部の一対の挟持板で挟持する。これにより、第１の壁パネルと第２の壁パネルとが連結される。
【００１２】
なお、壁パネル組立用部材は第１の壁パネルに固定されているので、第２の壁パネルの第２の側端部分を一対の挟持板の間に挿入する際に、壁パネル組立用部材が動く事は無い。
【００１３】
請求項２に記載の発明は、請求項１に記載の壁パネル組立用部材において、前記挟持板の一方は、他方の挟持板側へ凸となるように屈曲され、且つ弾性変形する。
【００１４】
次に、請求項２に記載の壁パネル組立用部材の作用を説明する。
挟持板の一方が、他方の挟持板側へ凸となるように屈曲されているので、一方の挟持板及び他方の挟持板のベース板とは反対側の端部分において、一方の挟持板と他方の挟持板との間隔をベース板とは反対側へ向かうにしたがって徐々に広がることとなり、挟持板の間に第１の壁パネルの第１の側端部分と第２の壁パネルの第２の側端部分を挿入し易くなる。また凸部の頂部を第１の端部分及び第２の端部分の何れか一方に接触させ、凸部の頂部で第１の側端部分と第２の側端部分の何れか一方を押圧し、一方の挟持板と他方の挟持板とで第１の側端部分と第２の側端部分とを確実に挟持することが可能となる。
【００１５】
請求項３に記載の発明は、請求項１または請求項２に記載の壁パネル組立用部材において、前記挟持部は、前記リブに交差して延びており、前記挟持部の前記挟持板には、前記第１の壁パネルの前記リブを逃げる第１の切欠と前記第２の壁パネルの前記リブとを逃げる第２の切欠とが形成されている。
【００１６】
次に、請求項３に記載の壁パネル組立用部材の作用を説明する。
請求項２に記載の壁パネル組立用部材は、挟持部がリブに交差して延びているため、リブの上下方向両側で第１の壁パネルの側端部分と第２の壁パネルの側端部分とを連結することができる。
【００１７】
挟持部はリブに対して交差して延びているが、挟持板には第１の壁パネルのリブを逃げる第１の切欠と第２の壁パネルのリブを逃げる第２の切欠とが形成されているため、挟持板が第１の壁パネルのリブと第２の壁パネルのリブに干渉することは無い。
請求項２に記載の壁パネル組立用部材は、挟持板がリブに干渉しないので、上下方向の寸法を長く取ることができる。
【００１８】
請求項４に記載の発明は、請求項３に記載の壁パネル組立用部材において、前記挟持部は金属板で形成され、前記第１の切欠と前記固定部とは、前記挟持板の一部を切り起すことで形成されている。
【００１９】
次に、請求項４に記載の壁パネル組立用部材の作用を説明する。
請求項４に記載の壁パネル組立用部材では、挟持部が金属板で形成されているため、プレス機等を用いて切り起こし加工することで固定部と第１の切欠を同時に形成することが出来る。
【００２０】
請求項５に記載のコーナー部の組立構造は、横方向に延びるリブ、及び横方向の一方側の側端部に沿って延びるフランジを裏面に備えた第１の壁パネルと、前記第１の壁パネルと直角に配置される第２の壁パネルと、前記フランジと前記第２の壁パネルの壁面の側端部分とが前記挟持部で挟持され、前記固定部が前記第１の壁パネルの前記リブに固定される請求項１〜請求項４の何れか１項に記載の壁パネル組立用部材と、を有する。
【００２１】
次に、請求項５に記載のコーナー部の壁パネル組立構造の作用を説明する。
請求項５に記載のコーナー部の壁パネル組立構造では、第１の壁パネルのフランジと、第１の壁パネルに対して直角に配置される第２の壁パネルの壁面の側端部分とが挟持部に挟持され、挟持部に設けられた固定部が第１の壁パネルのリブに固定されており、これによって第１の壁パネルと第２の壁パネルとが連結されている。
【００２２】
例えば、第１の壁パネルのリブに壁パネル組立用部材を取り付け、壁パネル組立用部材の取り付けられた第１の壁パネルを室内側から建てておけば、第２の壁パネルの壁面の側端部分を挟持板の間に挿入することができる、即ち、第１の壁パネルに対して第２の壁パネルを容易に組み付けることができる。
請求項６に記載の発明は、請求項５に記載のコーナー部の壁パネル組立構造において、前記フランジと前記第２の壁パネルの壁面の側端部分とは互いに接触している。
【００２３】
請求項７に記載の横並び部の壁パネル組立構造は、横方向に延びるリブ、及び横方向の一方側の側端部に沿って延びるフランジを裏面に備えた第１の壁パネルと、前記第１の壁パネルの前記フランジの設けられている側に横並びに配置され、裏面に横方向に延びるリブ、及び第１の壁パネル側の側端部に上下方向に延びるフランジを備えた第２の壁パネルと、前記第１の壁パネルの前記フランジと前記第２の壁パネルの前記フランジとが前記挟持部で挟持され、前記固定部が前記第１の壁パネルの前記リブ及び前記第２の壁パネルの前記リブの何れか一方に固定される請求項１〜請求項４の何れか１項に記載の壁パネル組立用部材と、を有する。
【００２４】
次に、請求項７に記載の横並び部の壁パネル組立構造の作用を説明する。
請求項７に記載のコーナー部の壁パネル組立構造では、第１の壁パネルのフランジと、第１の壁パネルに対して直角に配置される第２の壁パネルのフランジとが挟持部に挟持され、挟持部に設けられた固定部が第１の壁パネルのリブに固定されており、これによって第１の壁パネルと第２の壁パネルとが連結されている。
【００２５】
例えば、第１の壁パネルのリブに壁パネル組立用部材を取り付け、壁パネル組立用部材の取り付けられた第１の壁パネルを室内側から建てておけば、第２の壁パネルのフランジを挟持部に挿入することができる、即ち、第１の壁パネルに対して第２の壁パネルを容易に組み付けることができる。
請求項８に記載の発明は、請求項７に記載の横並び部の壁パネル組立構造において、前記第１の壁パネルの前記フランジと前記第２の壁パネルの前記フランジとは互いに接触している。
【発明の効果】
【００２６】
以上説明したように請求項１に記載の壁パネル組立用部材によれば、最小限の部品点数で、壁パネル同士を簡単に連結することができる。
【００２７】
第２の壁パネル組立用部材によれば、挟持板の間に第１の壁パネルの第１の側端部分と第２の壁パネルの第２の側端部分とを挿入し易くなる。また、一方の挟持板と他方の挟持板とで第１の側端部分と第２の側端部分とを確実に挟持することが可能となる。
【００２８】
請求項３に記載の壁パネル組立用部材によれば、長い挟持部でもってリブに干渉することなく第１の壁パネルと第２の壁パネルとを連結することができ、高い連結剛性を得ることが出来る。
【００２９】
請求項４に記載の壁パネル組立用部材によれば、切り起こし加工により固定部、及び切欠を同時かつ簡単に形成することが出来る。
【００３０】
請求項５に記載のコーナー部の壁パネル組立構造によれば、最小限の部品点数で、互いに直角に配置された第１の壁パネルと第２の壁パネルとを簡単に連結することができる。
【００３１】
請求項７に記載の横並び部の壁パネル組立構造によれば、最小限の部品点数で、互いに横並びに配置された第１の壁パネルと第２の壁パネルとを簡単に連結することができる。
【図面の簡単な説明】
【００３２】
【図１】ユニットバスの平面図である。
【図２】コーナー部の斜視図である。
【図３】（Ａ）は壁パネル組立用部材の端面側から見た側面図であり、（Ｂ）は壁パネル組立用部材の斜視図であり、（Ｃ）は壁パネル組立用部材の正面図である。
【図４】コーナー部の斜視図である。
【図５】（Ａ）、（Ｂ）は壁パネルの連結手順を説明するコーナー部の平面図である。
【図６】横並び部の平面図である。
【図７】壁パネルの接続図である。
【発明を実施するための形態】
【００３３】
以下、図１乃至図５にしたがって、本発明の壁パネル組立用部材を用いて組立てられたユニットバス１０の一実施形態を説明する。図１にはユニットバス１０の平面図が示されており、図２にはコーナー部の壁パネル組立構造が斜視図にて示されている。
図１及び図２に示すように、本実施形態のユニットバス１０は、床パネル１２を備えている。床パネル１２には、外周全体に上方へ延びるフランジ１２Ｃが一体的に形成されている。床パネル１２の上には、壁パネル１８，２０，２２，２４が垂直に配置されている。
【００３４】
壁パネル１８には、壁面１８Ｄの裏面（室外側の面）に、補強用の縦リブ１８Ａ及び横リブ１８Ｂが格子状に形成されており、他の壁パネル２０，２２，２４の裏面にも同様の縦リブ、及び横リブが格子状に形成されている。
ちなみに、図１において、符号２０Ａは壁パネル２０の縦リブ、符号２０Ｂは壁パネル２０の横リブ、符号２０Ｄは壁パネル２０の平板状の壁面であり、符号２２Ａは壁パネル２２の縦リブ、符号２２Ｂは壁パネル２２の横リブ、符号２２Ｄは壁パネル２２の平板状の壁面であり、符号２４Ａは壁パネル２４の縦リブ、符号２４Ｂは壁パネル２４の横リブ、符号２４Ｄは壁パネル２４の平板状の壁面である。
【００３５】
また、壁パネル１８の裏面側の外周縁には、横方向の一方側の側端部分を除いてフランジ１８Ｃ（請求項１の第１の端部分）が形成されており、他の壁パネル２０，２２，２４の裏面にも同様のフランジが形成されている。
ちなみに、図１において、符号２０Ｃは壁パネル２０のフランジ、符号２２Ｃは壁パネル２２のフランジ、符号２４Ｃは壁パネル２４のフランジである。
これら床パネル１２、及び壁パネル１８，２０，２２，２４は、例えば、ＦＲＰ等で形成されている。
【００３６】
図２に示すように、一方の壁パネル１８と、この一方の壁パネル１８と直角に配置される他方の壁パネル２０とは、一方の壁パネル１８のフランジ１８Ｃの形成されている側と、他方の壁パネル２０のフランジ２０Ｃの形成されていない側端部分とが以下に説明する壁パネル組立用部材２６で連結されている。
【００３７】
（壁パネル組立用部材）
以下に、壁パネル１８と壁パネル２０との連結構造を説明する。
本実施形態の壁パネル組立用部材２６は、例えば、メッキ鋼板、ステンレス板等の錆に強い金属板により形成されている。
【００３８】
図２、及び図３に示すように、壁パネル組立用部材２６は、上下方向に延びる挟持部２８を備えている。本実施形態の挟持部２８の長さ（上下方向の寸法）は、壁パネル１８の高さ寸法（上下方向の寸法）よりも若干短く、挟持部２８は複数の横リブ１８Ｂを交差して延びている。
【００３９】
挟持部２８は、壁パネル１８の横方向端部に設けられた上下方向に延びるフランジ１８Ｃに沿って延びる第１の挟持板３０、この第１の挟持板３０と対向するように配置される第２の挟持板３２、第１の挟持板３０の一方の横方向端部と第２の挟持板３２の一方の横方向端部とを連結するベース板３４とを備えている、即ち、第１の挟持板３０と第２の挟持板３２とはベース板３４の両端から同一方向（壁パネル１８のフランジ１８Ｃ、及び壁パネル２０の壁面２０Ｄに沿った方向）に延出されている。
【００４０】
第１の挟持板３０は、一定幅（後述する第１の切欠３８を除いた部分）で平面状に形成されている。
ベース板３４は、第１の挟持板３０に対して直角に連結されており、一定幅で平面状に形成されている。なお、本実施形態では、ベース板３４は、床パネル１２のフランジ１２Ｃの内面に突き当てられている。
さらに、第２の挟持板３２は、弾性変形可能であり、第１の挟持板３０へ向けて凸となるように横方向中間部分で鈍角に折曲されている。
【００４１】
第１の挟持板３０は、切り起し加工によって形成された矩形の固定部３６を複数備えており、固定部３６を切り起しした後の部分が横リブ１８Ｂを逃げるための第１の切欠３８となっている。
一方、第２の挟持板３２には、図３、及び図４に示すように、パネル２０の横リブ２０Ｂを逃げるための第２の切欠３９が形成されている。
【００４２】
図２に示すように、壁パネル組立用部材２６は、ベース板３４と反対側に、第１の挟持板３０の連結部側とは反対側の端部と、第２の挟持板３２の連結部側とは反対側の端部とが離間した挿入口４１を備えている。図１、及び図２に示すように、挿入口４１は、壁パネル組立用部材２６の取り付けられた壁パネル１８のフランジ１８Ｃに沿った向き、及び壁パネル２０の壁面２０Ｄに沿った向きに開口しており、壁パネル２０の壁面２０Ｄを室内側から挿入可能としている。
【００４３】
図２、及び図３に示すように、固定部３６は、第１の挟持板３０に対して９０°に形成されており、中央にはビスを挿通する孔４０が形成されている。固定部３６の孔４０を挿通させたビス４２を壁パネル１８の横リブ１８Ｂに形成した孔（図示せず）に捩じ込むことで、壁パネル組立用部材２６が壁パネル１８の横リブ１８Ｂに固定されている。
【００４４】
図２に示すように、固定部３６が横リブ１８Ｂに固定された状態では、壁パネル組立用部材２６の挟持部２８に壁パネル１８の上下に延びるフランジ１８Ｃが第１の挟持板３０に沿うように挿入されている。
【００４５】
さらに、壁パネル組立用部材２６の挟持部２８には、フランジ１８Ｃと第２の挟持板３２の間に、壁パネル２０のフランジ２０Ｃの形成されていない側の壁面２０Ｄが挿入されており、壁パネル１８の横方向のフランジ１８Ｃと、壁パネル２０のフランジ２０Ｃの形成されていない側の壁面２０Ｄとが、挟持部２８の第１の挟持板３０と第２の挟持板３２との間に重ね合わされた状態で挟持されている。
【００４６】
（壁パネルの組立て手順、壁パネル組立用部材の作用、効果）
（１）  代表して、壁パネル１８と壁パネル２０との組立て手順を説明する。
先ず最初に、図５（Ａ）に示すように、壁パネル１８の上下に延びるフランジ１８Ｃが壁パネル組立用部材２６の第１の挟持板３０に沿うようにフランジ１８Ｃを挿入口４１から挟持部２８の内部に挿入し、壁パネル組立用部材２６の固定部３６をビス４２で壁パネル１８の横リブ１８Ｂに固定する。
【００４７】
（２）  次に、室内側から壁パネル２０を壁パネル１８に対して直角に配置し、壁パネル２０を矢印Ａ方向に移動し、壁パネル２０の壁面２０Ｄの側端部分（請求項１の第２の端部分）を挿入口４１から挟持部２８の第２の挟持板３２と壁パネル１８のフランジ１８Ｃとの間に挿入する。
【００４８】
これによって、図５（Ｂ）に示すように、壁パネル１８の上下に延びるフランジ１８Ｃと、壁パネル２０の壁面２０Ｄの側端部分とが挟持部２８の第１の挟持板３０と第２の挟持板３２とで挟持され、壁パネル１８と壁パネル２０とを簡単に連結することができる。以上説明した壁パネル１８と壁パネル２０との組立て手順と同様にして他の壁パネルも簡単に連結することが出来る。
なお、壁パネル組立用部材２６は壁パネル１８に固定されているので、壁パネル２０の壁面２０Ｄの側端部を挟持部２８に挿入する際に、壁パネル組立用部材２６が動く事は無い。
また、壁パネル組立用部材２６は、挟持部２８の挿入口４１が、壁パネル組立用部材２６の取り付けられた壁パネル１８のフランジ１８Ｃに沿った向き、及び壁パネル２０の壁面２０Ｄに沿った向きに開口しており、壁パネル２０を室内側から組み付けることができるため、室外側（壁の裏側）から作業が出来ない狭い場所でも、壁の裏側に入って作業する事無く、壁パネル１８と壁パネル２０とを連結することが出来る。
【００４９】
このように、本実施形態の壁パネル組立用部材２６を用いれば、片方の壁パネルにフランジが無い場合（例えば、フランジの形成されていた壁パネルを切断して幅を詰めた壁パネル）であっても、最小限の部品で壁パネル同士を簡単に連結することができる。
【００５０】
なお、挟持部２８の第１の挟持板３０と第２の挟持板３２との最小間隔ｔ（図３（Ａ）参照）は、壁パネル１８のフランジ１８Ｃの厚さと壁パネル２０の壁面２０Ｄの厚さとを合計した厚さよりも若干狭く設定されているので、挟持部２８にフランジ１８Ｃと壁パネル２０の壁面２０Ｄとを挿入することで第２の挟持板３２が弾性変形し、挟持部２８にフランジ１８Ｃと壁パネル２０の壁面２０Ｄとが挿入された後は、第１の挟持板３０と弾性変形した第２の挟持板３２とがフランジ１８Ｃと壁面２０Ｄとを圧力をかけて挟持する。
【００５１】
なお、図示はしていないが、フランジ１８Ｃと壁面２０Ｄとの間に、水密性を高めるために、シート状のパッキンが介在されている。また、組み立て後に壁パネル１８の壁面１８Ｄと壁パネル２０の壁面２０Ｄとの室内側の隅部分に、コーキング材を施しても良い。
【００５２】
［他の実施形態］
上記施形態では、壁パネル組立用部材２６を壁パネル１８の横リブ１８Ｂにネジ止めした例を説明したが、図６に示すように、壁パネル組立用部材２６を壁パネル２０の横リブ２０Ｂに固定しても良い。この場合、壁パネル２０を所定の場所に配置した後、壁パネル１８のフランジ１８Ｃを挟持部２８へ室内側から挿入する。
【００５３】
上記施形態では、互いに直角に配置した壁パネル１８と壁パネル２０とを連結する例を説明したが、本実施形態の壁パネル組立用部材２６は、例えば、図７に示すように壁パネル１８と壁パネル２０とが同一平面的に横方向に並ぶ横並び部の壁パネル組立構造のように、壁パネル１８と壁パネル２０とを横並びに連結することも可能である。この場合の、壁パネル組立用部材２６は、第１の挟持板３０と第２の挟持板３２とがベース板３４の両端から室内側へ向けて（壁パネル２０の壁面２０Ｄに対して垂直方向に）延出されているため、壁パネル２０を室内側から組み付けることが出来る。
【００５４】
壁パネル１８と壁パネル２０とを横並びに連結する場合には、壁パネル組立用部材２６を壁パネル１８に固定し、壁パネル２０のフランジ２０Ｃを壁パネル１８のフランジ１８Ｃと壁パネル組立用部材２６の第２の挟持板３２との間に挿入し、壁パネル１８のフランジ１８Ｃと壁パネル２０のフランジ２０Ｃとを挟持部２８で挟持する。
これによって、壁パネル１８と壁パネル２０とを横並びに簡単に連結することができる。
なお、この例では、壁パネル１８のフランジ１８Ｃが請求項１の第１の端部分に相当し、壁パネル２０のフランジ２０Ｃが請求項１の第２の端部分に相当する。
【００５５】
上記実施形態の壁パネル組立用部材２６は、複数の横リブ１８Ｂと交差するように上下方向の長さが設定されていたが、横リブ１８Ｂと横リブ１８Ｂとの間に配置されるように短尺状に形成されていても良い。この場合、壁パネル組立用部材２６に第１の切欠３８、及び第２の切欠３９は形成されていなくても良いことになり、固定部３６は第１の挟持板３０の端部を直角に曲げるだけで良い。
【００５６】
上記実施形態の壁パネル組立用部材２６では、第２の挟持板３２が第１の挟持板３０へ向けて凸となるように折曲されていたが、フランジ１８Ｃと壁面２０Ｄとを挟持出来れば第１の挟持板３０と同様に平板状としても良い。
【００５７】
上記実施形態の壁パネル組立用部材２６は金属板で形成されていたが、合成樹脂等の金属以外の材料で成形されていても良い。
【００５８】
上記実施形態の壁パネル組立用部材２６では、固定部３６が切り起しにより形成されていたものであったが、例えば、Ｌ字形状の折り曲げた金属板を第１の挟持板３０に溶接等で接合したものであっても良い。
【００５９】
上記実施形態では、フランジ１８Ｃの端部と壁面２０Ｄの端部が壁パネル組立用部材２６のベース板３４から離間しているが（図２参照）、第１の挟持板３０及び第２の挟持板３２の横幅を狭くして、ベース板３４がフランジ１８Ｃの端部と壁面２０Ｄの端部に接触するようにしても良い。
【００６０】
上記実施形態では、本発明をユニットバスに適用した例を説明したが、本発明はユニットバス等の浴室に限らず、浴槽の無いシャワールーム、トイレ等、浴室以外にも適用可能である。
また、本発明は、上記に限定されるものでなく、上記以外にも、その主旨を逸脱しない範囲内において種々変形して実施可能であることは勿論である。
【符号の説明】
【００６１】
１０      ユニットバス
１８      壁パネル（第１の壁パネル）
１８Ｂ    横リブ（リブ）
１８Ｃ    フランジ（第１の端部分）
１８Ｄ    壁面
２０      壁パネル（第２の壁パネル）
２０Ｂ    横リブ（リブ）
２０Ｃ    フランジ
２０Ｄ    壁面（第２の端部分）
２２      壁パネル
２２Ｂ    横リブ（リブ）
２２Ｃ    フランジ（第２の端部分）
２２Ｄ    壁面
２４      壁パネル
２４Ｂ    横リブ（リブ）
２４Ｃ    フランジ
２４Ｄ    壁面
２６      壁パネル組立用部材
２８      挟持部
３０      第１の挟持板
３２      第２の挟持板
３４      ベース板
３６      固定部
【図１】
0005911710.tif 000002
【図２】
0005911710.tif 000003
【図３】
0005911710.tif 000004
【図４】
0005911710.tif 000005
【図５】
0005911710.tif 000006
【図６】
0005911710.tif 000007
【図７】
0005911710.tif 000008